(57)【特許請求の範囲】
【請求項１】
一枚のブランクシートから一体的に打ち抜かれた箱体形成片から成り、この箱体形成片には、互いに平行に連接された側面と、前記側面どうしを筒体に糊付けする糊付片と、前記側面の筒体の開口部となる端部に連接し折罫線を介して前記側面の裏面に折り返される折返片と、前記折罫線の途中に形成されたスリットが設けられ、前記折返片の、前記折罫線とは反対側の端部には吊下片が設けられ、前記吊下片の一方の側縁部に隣接して前記吊下片と同様に突出し折り返され前記側面に糊付けされる糊付部が設けられ、前記吊下片は、前記スリットが設けられた前記折罫線に対して傾斜した方向に突出し、前記折罫線に対して傾斜した吊下片折曲線を基端部として区切られ、前記吊下片折曲線は前記吊下片の突出方向に対して傾斜して形成され、前記吊下片は折り曲げ状態で前記スリットから突出可能に収容されたことを特徴とする吊下片付包装用箱。
【請求項２】
前記吊下片は、前記吊下片の先端から最も遠い前記吊下片折曲線で前記吊下片を前記側面の裏面に沿って折り曲げると、前記吊下片の先端が前記スリットの間に位置する請求項１記載の吊下片付包装用箱。
【請求項３】
前記吊下片折曲線は前記吊下片の突出方向に対して傾斜し、所定間隔で互いに所定角度で傾斜して、複数本設けられている請求項１または２記載の吊下片付包装用箱。
【発明の詳細な説明】
【技術分野】
【０００１】
この発明は、箱体形成片と一体に吊下片が設けられている吊下片付包装用箱に関する。
【背景技術】
【０００２】
従来、商品を収容して店頭に陳列する包装用箱には、店頭でフック等に取り下げて陳列される吊下片が設けられたものがある。吊下片は、接着剤で箱体に接着されているものや、箱体を形成する箱体形成片に一体に設けられているものもある。箱体形成片に一体に設けられているものには、吊下片が収納可能に設けられ、必要なときに吊下片を引き出して陳列するものがある。
【０００３】
例えば、特許文献１に開示されている包装箱は、側壁の端縁に折曲片を連接し、折曲片の先端から多数の幅方向の折目線を有する繋続帯を延出し、その先端に吊下片が設けられている。そして、折曲片を折り込み、繋続帯を折り返す。この包装箱の使用方法は、吊下片を摘んで引き上げ、又は押し下げると、繋続帯の折り返される折目線が順次移動して、吊下片が側壁と蓋板の間から吊下片が出没するものである。
【０００４】
その他に、特許文献２に開示されている吊下用紙箱は、箱体形成片に起立部が折れ線と部分的に切込線で区切られて設けられ、使用時に起立部を箱体形成片から起立させて吊下げ可能としたものがあった。
【特許文献１】特開２００１−３０１７４７号公報
【特許文献２】特開２００６−５６５７０号公報
【発明の開示】
【発明が解決しようとする課題】
【０００５】
上記背景技術の特許文献１の場合、繋続帯と吊下片が直線で形成されて側方へ直角に突出しているため、繋続帯を折り曲げながら引き上げたり押し下げたりするための抵抗が大きく、操作し難いものである。また、繋続帯と吊下片が側方へ直角に突出しているため、箱体形成片を打ち抜くときに大形のブランクシートが必要であり、周囲の不要な面積が大きく廃棄する部分が多くなり、コストがかかりまた資源のムダでもあった。
【０００６】
特許文献２の場合、起立部は箱体形成片から部分的に切込線で切断して設けられているため、起立部を起立させると箱体に穴があいてしまうという問題があった。
【０００７】
この発明は、上記背景技術の問題点に鑑みてなされたものであり、簡単な構造で吊下片がブランクシートを有効に使用してコンパクトに設けられ、吊下片が不要なときは収納し必要なときには引き出すことができる吊下片付包装用箱を提供することを目的とする。
【課題を解決するための手段】
【０００８】
本発明は、一枚のブランクシートから一体的に打ち抜かれた箱体形成片から成り、この箱体形成片には、互いに平行に連接された側面と、前記側面どうしを筒体に糊付けする糊付片と、前記側面の筒体の開口部となる端部に連接し折罫線を介して前記側面の裏面に折り返される折返片と、前記折罫線の途中に形成されたスリットが設けられ、前記折返片の、前記折罫線とは反対側の端部には吊下片が設けられ、前記吊下片の一方の側縁部に隣接して前記吊下片と同様に突出し折り返され前記側面に糊付けされる糊付部が設けられ、前記吊下片は、前記スリットが設けられた前記折罫線に対して傾斜した方向に突出し、前記折罫線に対して傾斜した吊下片折曲線を基端部として区切られ、前記吊下片折曲線は前記吊下片の突出方向に対して傾斜して形成され、前記吊下片は折り曲げ状態で前記スリットから突出可能に収容された吊下片付包装用箱である。
【０００９】
前記吊下片は、前記吊下片の先端から最も遠い前記吊下片折曲線で前記吊下片を前記側面の裏面に沿って折り曲げると、前記吊下片の先端が前記スリットの間に位置するものである。
【００１０】
前記吊下片折曲線は前記吊下片の突出方向に対して傾斜し、所定間隔で互いに所定角度で傾斜して複数本設けられている。
【発明の効果】
【００１１】
本発明の吊下片付包装用箱は、簡単な構造で操作性が良く、吊下片が不要なときは収納し、必要なときに簡単に引き出してフック等に吊下げることができるものである。これにより、店頭で陳列する形態を自由に変更することができる。また、吊下片がブランクシートを有効に使用してコンパクトに設けられ、ブランクシートの周囲の不要な面積が少なく廃棄する部分が少ないため、コストが掛からず、資源を有効に利用することができる。
【発明を実施するための最良の形態】
【００１２】
以下、この発明の実施形態について図面に基づいて説明する。図１〜図３はこの発明の一実施形態を示すもので、この実施形態の吊下片付包装用箱１０は、後述する箱体に収容され必要なときに引き出される吊下片３８が設けられたものである。この実施形態の吊下片付包装用箱１０は、紙製等の一枚のブランクシートを打ち抜いて形成された箱体形成片１２を組み立てて設けられている。
【００１３】
図２は箱体形成片１２を裏面から見た展開図であり、箱体形成片１２は、側面１４，１６，１８，２０が、互いに平行に連接して形成されている。側面１４，１６，１８，２０は、連接している幅方向はほぼ同じ長さであり、連接方向の長さは側面１４，１８が長くて互いにほぼ等しく、側面１６，２０は短くて互いにほぼ等しい。さらに側面１４の側縁部には、吊下片付包装用箱１０の組立状態で側面２０の裏面に糊付けされる糊付片２２が設けられている。糊付片２２、側面１４，１６，１８，２０は、各々折罫線２４，２６，２８，３０で区切られている。
【００１４】
側面１４において、側面どうしの連接方向に対して直角な方向の一端部には、折返片３２が折罫線３４で区切られて設けられている。折罫線３４の中心には、後述する吊下片３８が引き出されるスリット３６が設けられている。折返片３２の、折罫線３４とは反対側の端部３２ａは、凹凸のある端縁形状に形成され、糊付片２２側の折罫線２４に近い部分では折罫線３４と平行な直線に形成されている。
【００１５】
折返片３２の端部３２ａの中心には、端部３２ａよりも外側に突出する吊下片３８が設けられている。吊下片３８は、端部３２ａに連続する吊下片折曲線４２を基端部として区切られ、吊下片折曲線４２の延長線は、側面１４の折罫線２４側で折罫線３４と交差し、吊下片折曲線４２は、折罫線２４から離れるにしたがい折罫線３４からも離れるように傾斜している。吊下片３８は、吊下片折曲線４２を半径方向とする円弧に沿って帯状に彎曲して、端部３２ａの外側に延出している。吊下片３８の吊下片折曲線４２の内側には、２本の吊下片折曲線４４，４６が傾斜して所定間隔に設けられ、吊下片折曲線４２，４４，４６のそれぞれの間の角度は、同じ角度に設けられ、吊下片３８の円弧のほぼ半径方向となる。吊下片折曲線４２，４４，４６の各々途中には、折り曲げ易いように切断線が設けられている。吊下片３８の先端は半円状に膨出して形成され、半円の中心付近に吊下げ用の透孔４７が設けられている。
【００１６】
折返片３２の端部３２ａの折罫線２６に近い部分には、吊下片３８の側縁部に隣接して、吊下片３８とほぼ同じ長さに突出する矩形の糊付部４０が設けられている。糊付部４０は、折罫線２６に連続する側縁部４０ａと、側縁部４０ａにほぼ直角に連続する端部４０ｂと、端部４０ｂにほぼ直角に連続し吊下片３８の側縁部の吊下片折曲線４６付近に達する側縁部４０ｃで、矩形に形成されている。吊下片３８の側縁部と糊付部４０は、切込線で区切られている。
【００１７】
側面１６の、側面１４の折罫線３４に隣接する端部には、台形状のフラップ４８が折罫線５０で区切られて設けられている。側面１６の、折罫線５０と反対側の端部には、台形状のフラップ５２が折罫線５４で区切られて設けられている。
【００１８】
側面１８の、側面１６の折罫線５０に隣接する端部には、上蓋片５６が折罫線５８で区切られて設けられている。上蓋片５６の折罫線５８の反対側の端部には、差込片６０が折罫線６２で区切られて設けられている。折罫線６２の両端部には、差込片６０がフラップ４８と係止しやすいように短い切込線が設けられている。側面１８の、折罫線５８と反対側の端部には、底蓋片６４が折罫線６６で区切られて設けられている。底蓋片６４の折罫線６６の反対側の端部には、差込片６８が折罫線７０で区切られて設けられている。折罫線７０の両端部には、差込片６８がフラップ５２と係止しやすいように短い切込線が設けられている。
【００１９】
側面２０の、側面１８の折罫線５８に隣接する端部には、台形状のフラップ７２が折罫線７４で区切られて設けられている。側面２０の、折罫線７４と反対側の端部には、台形状のフラップ７６が折罫線７８で区切られて設けられている。
【００２０】
次に、この実施形態の吊下片付包装用箱１０の組立方法の一例について説明する。なお、ここでは図２が吊下片付包装用箱１０の箱体形成片１２の裏面を見たものであり、箱体形成片１２の表面が凸になる折り方を正折り、そして裏面が凸になる折り方を逆折りと称する。
【００２１】
まず、吊下片３８の吊下片折曲線４６を正折りし、糊付部４０の裏面に糊８０を塗布する。次に、折罫線３４を正折りし、側面１４の裏面に糊付部４０が糊付けされる。このとき、図３に示すように吊下片３８は折返片３２と側面１４の間に挟まれ、吊下片３８の先端はスリット３６から少し突出して収納されている。折罫線２６を正折りし、糊付片２２の表面に糊８２を塗布する。次に折罫線３０を正折りし、側面２０の裏面が糊８２により糊付片２２の表面に糊付けされる。
【００２２】
次に、商品を収容し包装する工場等において、折罫線２４，２６，２８，３０を各々９０度に正折りして四角形の箱体にする。次に、折罫線５４，７８でフラップ５２，７６を９０度に正折りし、その後折罫線６６で底蓋片６４を９０度に正折りし、差込片６８を側面１４の裏面側に差し込んで係止し、底面が形成される。さらに、折罫線５０，７４でフラップ４８，７２を９０度に正折りし、折罫線５８で上蓋片５６を９０度に正折りし、差込片６０を側面１４の裏面側に差し込んで係止し、上面が形成される、なお、箱体形成片１２を組み立てる順番はこれ以外でも良く、適宜変更可能である。
【００２３】
次に、この実施形態の吊下片付包装用箱１０の使用方法について説明する。まず、運搬や保管時には、吊下片３８が邪魔にならないように、また破損しないように図１（ｂ）に示すように、吊下片３８の先端に最も近い吊下片折曲線４６が正折りされた状態を維持し、吊下片３８のスリット３６からの突出量を小さくして収納した状態とする。店頭でフック等に吊下げて陳列するときは、スリット３６から僅かに突出する吊下片３８を摘んで上方へ引き出す。これにより折られていた吊下片折曲線４６が平坦に伸ばされ、次に吊下片折曲線４４が正折りされ、さらに引き上げると吊下片折曲線４４が平坦に伸ばされ、吊下片３８の先端から最も遠い吊下片折曲線４２が正折りされ、吊下片３８は円弧を描きながらスリット３６から引き出される。そして図１（ａ）に示すように、スリット３６から吊下片３８が長く突出し透孔４７が露出する。そして吊下片３８の透孔４７にフック等を挿通して吊下片付包装用箱１０を吊下げて陳列する。
【００２４】
この実施形態の吊下片付包装用箱１０によれば、簡単な構造で組立作業が容易であり、吊下片３８が不要なときは収納し、必要なときに吊下片３８を簡単な操作で引き出してフック等に吊下げて陳列することができる。特に、吊下片３８は、円弧状に進退するので、吊下片折曲線４２，４４，４６の折り曲げ引き伸ばし動作に際して、吊下片折曲線４２，４４，４６の折り曲げ線に対して、吊下片３８の円弧のうちの外側の曲率変形の大きい側により大きい力が掛かる。これにより、引き上げ動作にかかる力が小さくても容易に吊下片３８が吊下片折曲線４２，４４，４６で引き伸ばされ、引き出すことができる。また、押し下げも同様に小さい力で行うことができる。さらに、吊下片３８は彎曲して折返片３２の糊付部４０の内側のスペースにコンパクトに区切られて設けられているため、ブランクシートを有効に使用して箱体形成片１２の周囲の不要な面積が少なく廃棄する部分が少ないため、資源のムダをなくし有効利用することができる。またブランクシートを効率よく使用して箱体形成片１２を多く打ち抜くことができることから、コストも抑えることができる。
【００２５】
なお、この発明は上記実施形態に限定されるものではなく、吊下片の長さや幅は適宜変更可能であり、吊下片折曲線の本数も変更可能である。折返片やスリット等、各部材の形状や大きさ、位置等、適宜変更可能である。吊下片付包装用箱の素材は、紙以外に、合成樹脂や、紙と合成樹脂を積層したもの等、自由に選択可能である。
【図面の簡単な説明】
【００２６】
【図１】この発明の一実施形態の吊下片付包装用箱の吊下片を引き出した状態を示す斜視図（ａ）と、吊下片を収容した状態を示す斜視図（ｂ）である。
【図２】この実施形態の吊下片付包装用箱の展開図である。
【図３】この実施形態の吊下片付包装用箱の組立方法の一工程を示す展開図である。
【符号の説明】
【００２７】
１０  吊下片付包装用箱
１２  箱体形成片
１４，１６，１８，２０  側面
２２  糊付片
３２  折返片
３４  折罫線
３６  スリット
３８  吊下片
４０  糊付部
４２，４４，４６  吊下片折曲線
４７  透孔
【図１】
0005155014.tif 000002
【図２】
0005155014.tif 000003
【図３】
0005155014.tif 000004